(57)【要約】【課題】モータ取付け板の剛性を高め、運転時の静音化を図った空気調和機を提供する。【解決手段】一側に吸込口１７を、他側に吹出口１８及び前板６を、底部に本体ベース５をそれぞれ有する外郭１６ａを備え、本体ベース５上に、吸込口１７に対向して熱交換器２を、吹出口１８に対向して送風機１５をそれぞれ配設し、送風機１５を取付けたモータ取付け板１の下端を、本体ベース５に固着し、上端の一方を吹出口１８側へ直角に折り曲げると共に、前板６の上部に固着し、上端のもう一方を熱交換器２を固定するように熱交換器２の上部外面側に直角に折り曲げ、さらにモータ取付け板１に、一端が任意の高さ位置で熱交換器２の内面に接触する補強板７を取り付けたもので、モータ取付け板１の剛性が強くなって運送時に傾くことがなく、モータ取付け板１の傾きによる送風機１５と熱交換器２の距離の不正規による本体運転時の振動、ビビリ音を抑制することができる。【選択図】図１
2009144978.tif 000002
【特許請求の範囲】
【請求項１】
一側に吸込口を、他側に吹出口及び前板を、底部に本体ベースをそれぞれ有する外郭を備え、前記本体ベース上に、前記吸込口に対向して熱交換器を、前記吹出口に対向して送風機をそれぞれ配設し、前記送風機を取付けたモータ取付け板の下端を、前記本体ベースに固着し、上端の一方を前記吹出口側へ直角に折り曲げると共に、前記前板の上部に固着し、上端のもう一方を前記熱交換器を固定するように前記熱交換器の上部外面側に直角に折り曲げ、さらに前記モータ取付け板に、一端が任意の高さ位置で前記熱交換器の内面に接触する補強板を取り付けたことを特徴とする空気調和機。
【発明の詳細な説明】
【技術分野】
【０００１】
本発明は、空気調和機に関するもので、特に空気調和機の室外ユニットのモータ取付け板の構造に関するものである。
【背景技術】
【０００２】
従来のこの種の空気調和機の室外ユニットのモータ取付板の構造としては、モータ取付板を設けたモータ取付台の上部取付板の切り起こしを、補強部材のスリット穴に挿通固定を行うものが一般的であった（例えば、特許文献１参照）。
【０００３】
図６は、上記特許文献１に記載された従来の空気調和機の要部斜視図、図７は、同空気調和機のモータ取付板の取り付け部分の断面図である。
【０００４】
図６および図７において、ベース２１には、両側から背面にかけて上端にフランジ２２ａを形成した外胴２２が取り付けられ、同フランジ２２ａには、スリット穴２２ｂが両側に設けられている。補強部材１２は、前記スリット穴２２ｂに対応する引掛爪１２ａを備え、同外胴２２に支持される。モータ取付台１１は、一対の支持枠１１ａに、モータ取付板１１ｂを有し、下端部の取付足１１ｅのスリット穴１１ｇを、ベース２１上の切り起し２１ａに挿通するとともに、上部取付板１１ｆの下方への切り起し１１ｈを、補強部材１２のスリット穴１２ｂに挿通固定する構成とされている（例えば、特許文献１参照）。
【特許文献１】特開平８−１７８３６１号公報
【発明の開示】
【発明が解決しようとする課題】
【０００５】
しかしながら、上記従来の空気調和機の構成では、モータ取付台１１の上部取付板１１ｆの下方への切り起し１１ｈを補強部材１２のスリット穴１２ｂに挿通固定する構造になっているため、製品の運送時にモータ取付台１１の上部取付板１１ｆの下方への切り起し１１ｈが折れてしまうという課題があった。
【０００６】
また、モータ取付台１１と補強部材１２の固定方法が、スリット穴１２ｂに切り起し１１ｈを挿通固定だけであるため剛性が弱く、本体運転時に振動やビビリ音などを発生する課題を有していた。
【０００７】
本発明は、このような従来の課題を解決するもので、モータ取付け板の剛性を高めて、製品の運送時にモータ取付け板が傾いたり、モータ取付け板の傾きにより送風機と熱交換器の距離が不正規になり、本体の運転時に振動、ビビリ音が発生するのを抑制することができる空気調和機を提供することを目的とする。
【課題を解決するための手段】
【０００８】
前記従来の課題を解決するために、本発明の空気調和機は、一側に吸込口を、他側に吹出口及び前板を、底部に本体ベースをそれぞれ有する外郭を備え、前記本体ベース上に、前記吸込口に対向して熱交換器を、前記吹出口に対向して送風機をそれぞれ配設し、前記送風機を取付けたモータ取付け板の下端を、前記本体ベースに固着し、上端の一方を前記吹出口側へ直角に折り曲げると共に、前記前板の上部に固着し、上端のもう一方を前記熱交換器を固定するように前記熱交換器の上部外面側に直角に折り曲げ、さらに前記モータ取付け板に、一端が任意の高さ位置で前記熱交換器の内面に接触する補強板を取り付けたもので、モータ取付け板の剛性が強くなり、製品の運送時にモータ取付け板が傾くことがなくなり、モータ取付け板の傾きによる送風機と熱交換器の距離の不正規による本体運転
時の振動、ビビリ音の発生を抑制することができる。
【発明の効果】
【０００９】
本発明の空気調和機は、モータ取付け板の剛性が強くなり、製品の運送時にモータ取付け板が傾くことがなくなり、モータ取付け板の傾きによる送風機と熱交換器の距離の不正規による本体運転時の振動、ビビリ音の発生を抑制することができる。
【発明を実施するための最良の形態】
【００１０】
第１の発明は、一側に吸込口を、他側に吹出口及び前板を、底部に本体ベースをそれぞれ有する外郭を備え、前記本体ベース上に、前記吸込口に対向して熱交換器を、前記吹出口に対向して送風機をそれぞれ配設し、前記送風機を取付けたモータ取付け板の下端を、前記本体ベースに固着し、上端の一方を前記吹出口側へ直角に折り曲げると共に、前記前板の上部に固着し、上端のもう一方を前記熱交換器を固定するように前記熱交換器の上部外面側に直角に折り曲げ、さらに前記モータ取付け板に、一端が任意の高さ位置で前記熱交換器の内面に接触する補強板を取り付けたもので、モータ取付け板の剛性が強くなり、製品の運送時にモータ取付け板が傾くことがなくなり、モータ取付け板の傾きによる送風機と熱交換器の距離の不正規による本体運転時の振動、ビビリ音の発生を抑制することができる。
【００１１】
以下、本発明の実施の形態について、図面を参照しながら説明する。なお、この実施の形態によって本発明が限定されるものではない。
【００１２】
（実施の形態１）
図１は、本発明の第１の実施の形態における空気調和機の縦断面図で、図２は、同空気調和機の要部斜視図で、図３は、同空気調和機のモータ取付け板の斜視図である。
【００１３】
図１から図３において、本実施の形態における空気調和機の室外ユニット１６の外郭１６ａは、後部に吸込口１７を、前部に吹出口１８と前板６を、又、底部に、本体ベース５をそれぞれ備えている。外郭１６ａ内には、ファン３とそれを駆動するモータ４で構成された送風機１５と、送風機１５を取り付けたモータ取付け板１を内蔵している。
【００１４】
７は、補強板で、複数設けられると共に、それぞれの一端は、モータ取付け板１に設けられた長穴８を介し、締付用穴９に、ネジ１０によりモータ取付け板１に固着され、他端は、熱交換器２の内面側に接触している。
【００１５】
前記空気調和機の室外ユニット１６の本体ベース５上に、吸込口１７に対向して熱交換器２を、吹出口１８に対向して送風機１５がそれぞれ配設されており、送風機１５を取付けたモータ取付け板１の下端を本体ベース５上に固着し、上端の一方を、前記吹出口１８側へ直角に折り曲げ、前記前板６の上部に固着し、上端のもう一方を前記熱交換器２を固定するように前記熱交換器２の上部外面側に直角に折り曲げ、さらに前記モータ取付け板１に設けた長穴８を介しネジ１０により取り付けた補強板７は、前記熱交換器２の内面側の高さ方向の任意の位置に接触するようになっている。
【００１６】
以上のように、本実施の形態における空気調和機は、モータ取付け板１の下端を本体ベース５に固着し、前記モータ取付け板１の上端の一方を前記前板６と固着し、上端の他方で前記熱交換器２の上部外面側を固定し、さらに前記熱交換器２の内面側の高さ方向の任意の位置に接触するように補強板７を前記モータ取付け板１に取り付けたことにより、前記モータ取付け板１の剛性が強くなり、モータ取付け板１の変形を防止することができ、モータ取付け板１の変形による本体運転時の振動やビビリ音の発生を抑制することができる。
【００１７】
なお、上記実施の形態では、図１に示すように、全体が２段の熱交換器２の内面に複数の補強板７を接触させるようにしたが、図４に示すように、熱交換器２の下半分だけが２段になっている場合は、その２段になっている部分に一本の補強板７を接触させるようにしてもよい。図５は、熱交換器２の上半分が２段になっている場合の補強板７の設置例を示している。
【産業上の利用可能性】
【００１８】
以上のように、本発明にかかる空気調和機は、モータ取付け板の上端を吸込口側と吹出口および、補強板により熱交換器の内面側で固定するものであり、この構成によれば、モータ取付け板の剛性が強くなることにより、モータ取付け板の変形による本体運転時の振動、ビビリ音の発生を抑制することができるので、空気調和機の用途にも適用できる。
【図面の簡単な説明】
【００１９】
【図１】本発明の実施の形態１における空気調和機の縦断面図
【図２】同空気調和機の要部斜視図
【図３】同空気調和機のモータ取付け板の斜視図
【図４】同空気調和機の他の例を示す縦断面図
【図５】同空気調和機の他の例を示す縦断面図
【図６】従来の空気調和機の要部斜視図
【図７】同空気調和機のモータ取付板の取り付け部分の断面図
【符号の説明】
【００２０】
１  モータ取付け板
２  熱交換器
５  本体ベース
６  前板
７  補強板
８  長穴
９  ネジ締付用穴
１０  ネジ
１５  送風機
１６  室外ユニット
１６ａ  外郭
１７  吸込口
１８  吹出口
【図１】
2009144978.tif 000003
【図２】
2009144978.tif 000004
【図３】
2009144978.tif 000005
【図４】
2009144978.tif 000006
【図５】
2009144978.tif 000007
【図６】
2009144978.tif 000008
【図７】
2009144978.tif 000009